(57)【要約】【課題】収容体内の被散布物の残量を容易に確認できる散布装置を提供する。【解決手段】散布装置１は、被散布物を収容する収容体２と、この収容体２の上面開口部を開閉する蓋体５とを備える。収容体２の前面部には、収容体２内の被散布物の残量を目視で確認するための透光性の残量確認用窓15を設ける。蓋体５の下面には、収容体２内の位置から残量確認用窓15に向けて光を照射する光源16を設ける。【選択図】図１
2008148624.tif 000002
【特許請求の範囲】
【請求項１】
被散布物が収容される収容体と、
この収容体に設けられ、前記収容体内の被散布物の残量を目視で確認するための透光性の残量確認用窓と、
この残量確認用窓に向けて光を照射する光源と
を備えることを特徴とする散布装置。
【請求項２】
光源は、収容体内の位置から残量確認用窓に向けて光を照射する
ことを特徴とする請求項１記載の散布装置。
【請求項３】
収容体の上面開口部を開閉する透光性の蓋体を備え、
光源は、前記蓋体の上方位置から残量確認用窓に向けて光を照射する
ことを特徴とする請求項１記載の散布装置。
【請求項４】
残量確認用窓は、収容体の前面部に設けられ、
光源は、前記収容体の前方位置から残量確認用窓に向けて光を照射する
ことを特徴とする請求項１記載の散布装置。
【発明の詳細な説明】
【技術分野】
【０００１】
本発明は、収容体内の被散布物の残量を容易に確認できる散布装置に関するものである。
【背景技術】
【０００２】
従来、例えば底面部に散布用孔部が形成され肥料、種子等の被散布物が収容される箱形状のホッパ等の収容体と、収容体内に回転可能に配設され回転して被散布物を撹拌するとともに被散布物を散布用孔部側へ送るアジテータ等の繰出用回転体と、開状態となって散布用孔部を開口させ閉状態となって散布用孔部を閉鎖するフラップ等の開閉体と、トラクタのＰＴＯ軸側からの動力（ＰＴＯ出力）を入力軸から入力して回転体へ出力する動力入力手段とを備えた肥料散布機等の散布装置が知られている（例えば、特許文献１参照）。
【０００３】
そして、このような肥料散布機等の散布装置には、通常、収容体内の被散布物の残量を目視で確認するための透光性の残量確認用窓が収容体の前面部や後面部に設けられている。
【特許文献１】特開２００４−２６７１５０号公報
【発明の開示】
【発明が解決しようとする課題】
【０００４】
しかしながら、従来の散布装置では、風や雨等による被散布物の拡散、劣化等を防止する目的で、収容体の上面開口部が蓋体で閉じられて収容体内が暗所となるため、残量確認用窓から収容体内が見えにくく、収容体内の被散布物の残量を確認しずらい場合がある。
【０００５】
本発明は、このような点に鑑みなされたもので、収容体内の被散布物の残量を容易に確認できる散布装置を提供することを目的とする。
【課題を解決するための手段】
【０００６】
請求項１記載の散布装置は、被散布物が収容される収容体と、この収容体に設けられ、前記収容体内の被散布物の残量を目視で確認するための透光性の残量確認用窓と、この残量確認用窓に向けて光を照射する光源とを備えるものである。
【０００７】
請求項２記載の散布装置は、請求項１記載の散布装置において、光源は、収容体内の位置から残量確認用窓に向けて光を照射するものである。
【０００８】
請求項３記載の散布装置は、請求項１記載の散布装置において、収容体の上面開口部を開閉する透光性の蓋体を備え、光源は、前記蓋体の上方位置から残量確認用窓に向けて光を照射するものである。
【０００９】
請求項４記載の散布装置は、請求項１記載の散布装置において、残量確認用窓は、収容体の前面部に設けられ、光源は、前記収容体の前方位置から残量確認用窓に向けて光を照射するものである。
【発明の効果】
【００１０】
本発明によれば、収容体内の被散布物の残量を目視で確認するための透光性の残量確認用窓と、この残量確認用窓に向けて光を照射する光源とを備えるため、残量確認用窓から収容体内が見えやすく、収容体内の被散布物の残量を容易に確認できる。
【発明を実施するための最良の形態】
【００１１】
本発明の散布装置の一実施の形態を図面を参照して説明する。
【００１２】
図１および図２において、１は散布装置で、この散布装置１は、例えば走行車であるトラクタＴの後部の３点リンク部（作業機昇降支持装置）Ｔ1に連結され、トラクタＴの走行により圃場上を進行方向前方に移動しながら圃場に粉状或いは粒状の被散布物Ｗ、例えば肥料を落下させて散布する施肥機である。
【００１３】
散布装置１は、トラクタＴの後部の３点リンク部Ｔ1に連結部３を介して連結され被散布物Ｗが収容される左右方向長手状で箱形状のホッパ等の収容体２を備えている。
【００１４】
収容体２は、下端に頂点を有する側面視略三角状のもので、この収容体２の上面部には、被散布物Ｗを投入するための投入口である上面開口部４が形成されている。この上面開口部４は略板状の蓋体５にて開閉可能となっている。すなわち、収容体２には、開状態となって上面開口部４を開口させ閉状態となって上面開口部４を閉鎖する蓋体５が水平方向の軸を中心として上下方向に回動可能に設けられている。
【００１５】
また、収容体２の下面部には、複数の散布用孔部（図示せず）が左右方向に間隔をおいて形成されている。また、左右方向に間隔をおいて並んだ複数の孔部（図示せず）を有する湾曲板状の散布量調整用のシャッタ７が収容体２の下面部に沿って左右方向に移動可能に設けられている。そして、シャッタ７にはシャッタ開閉ステー８およびシャッタ開閉リンクボール９等を介してシャッタ開閉用レバー10が取り付けられ、このシャッタ開閉用レバー10を回動軸（支点）11を中心として手動で回動操作すると、シャッタ７が収容体２の下面部に沿って左右方向に移動する。このシャッタ７の移動により収容体２の散布用孔部の開口量が変化し、その散布用孔部から繰り出される被散布物Ｗの散布量が調整される。
【００１６】
さらに、収容体２の傾斜状の前面部の左右両側の２箇所には、トラクタＴに乗った作業者が収容体２内の被散布物Ｗの残量を目視で確認するための透光性の目視窓である残量確認用窓15が上下方向長手状に設けられ、残量確認用窓15の上端が収容体２の前面部上端近傍に位置し、残量確認用窓の下端が収容体２の前面部下端近傍に位置する。残量確認用窓15は、例えば収容体２に形成された上下方向の長孔を樹脂製等の透明板で閉鎖したものである。
【００１７】
そして、図３および図４にも示されるように、収容体２内の位置であって残量確認用窓15の真上の位置から残量確認用窓15に向けて光を照射する光源16が蓋体５の下面に設けられている。光源16は、例えば発光ダイオード等からなり、蓋体５の閉状態時に残量確認用窓15の真上に位置するように蓋体５の下面に取り付けられている。なお、蓋体５の開状態時には、光源16は、収容体２外に位置するため、交換等のメンテナンスが容易である。
【００１８】
また一方、散布装置１は、収容体２内に回転可能に配設され所定方向に回転して収容体２内の被散布物Ｗを収容体２外へ一定量ずつ繰り出すアジテータ等の繰出用回転体21と、この繰出用回転体21を回転させるモータ等の回転体駆動手段22とを備えている。
【００１９】
繰出用回転体21は、収容体２の下部内方に配設され軸方向が左右方向に一致する水平状の回転軸部23を有し、この回転軸部23の外周部には被散布物Ｗを撹拌するとともに被散布物Ｗを散布用孔部側へ送る略螺旋状の撹拌送り板部24が突設されている。
【００２０】
回転体駆動手段22は、例えば１つの電動モータ25にて構成され、この電動モータ25は収容体２の側面部に固着され、この電動モータ25の出力軸が繰出用回転体21の回転軸部23に連結固定されている。そして、回転体駆動手段22を構成する１つの電動モータ25の駆動により繰出用回転体21が駆動回転し、この繰出用回転体21の回転により収容体２内の被散布物Ｗが撹拌されるとともに散布用孔部側へ送られて一定量ずつ繰り出される。なお、繰出用回転体21の回転速度は電動モータ25を制御することで無段階に調節可能となっている。
【００２１】
また、散布装置１は、開状態となって収容体２の散布用孔部を開口させ閉状態となって収容体２の散布用孔部を閉鎖するフラップ等の開閉体31と、この開閉体31を開状態および閉状態にする開閉体駆動手段32とを備えている。
【００２２】
開閉体31は、散布量調整用のシャッタ７の下面に当接して収容体２の散布用孔部を閉鎖する左右方向長手状で湾曲板状のウレタン等の合成樹脂製の開閉板部33を左右一対有している。各開閉板部33には、回動軸（支点）34を中心として回動可能なアーム部35が取り付けられ、このアーム部35には連結アーム部36の下端部が回動可能に連結され、この連結アーム部36の上端部にはアーム部37が回動可能に連結されている。開閉体駆動手段32は、例えば左右２つの電動モータ38にて構成され、各電動モータ38の出力軸にアーム部37が取り付けられている。
【００２３】
そして、開閉体駆動手段32を構成する２つの電動モータ38の駆動により開閉体31が開状態となってその開閉板部33がシャッタ７の下面から離れると収容体２の散布用孔部が開口し、また、電動モータ38の駆動により開閉体31が閉状態となってその開閉板部33がシャッタ７の下面に当接すると収容体２の散布用孔部がその開閉板部33にて閉鎖される。
【００２４】
次に、上記散布装置１の作用等を説明する。
【００２５】
散布装置１を用いて散布作業、すなわち施肥する場合、蓋体５を開状態にして上面開口部４を開口させてこの開口した上面開口部４から被散布物Ｗを収容体２内へ投入する。被散布物Ｗの投入後、蓋体５を閉状態にして上面開口部４を閉鎖する。
【００２６】
そして、トラクタＴの走行により散布装置１全体を移動させると略同時に、例えば図示しないリモコン等の操作手段の作業開始ボタンを押すと、開閉体駆動手段32の電動モータ38が駆動され、開閉体31が閉状態から開状態になり、収容体２の下面部の散布用孔部が開口する。
【００２７】
その後、回転体駆動手段22の電動モータ25が駆動され、繰出用回転体21が駆動回転する。そして、収容体２内の被散布物Ｗは、繰出用回転体21の回転により撹拌されながら収容体２の下面部の散布用孔部側へ送られ、その開口した散布用孔部から一定量ずつ繰り出される。
【００２８】
また、散布作業を停止するに当たり、例えばリモコン等の操作手段の作業停止ボタンを押すと、回転体駆動手段22の電動モータ25が停止し、繰出用回転体21が停止し、その後、開閉体駆動手段32の電動モータ38が駆動され、開閉体31が開状態から閉状態になる。
【００２９】
ここで、例えばリモコン等の操作手段の残量確認用ボタン（操作部）を押すと、収容体２内に位置する光源16が作動して残量確認用窓15に向けて光を照射し、収容体２内が明るくなる。そのため、図３および図４に示すように、収容体２内の被散布物Ｗが例えば半分より若干少ない場合には、残量確認用窓15の上側部分のみが光って見える。残量確認用窓15のうち被散布物Ｗにて覆い隠された部分は、被散布物Ｗによって光が遮られるため、暗いままである。
【００３０】
このように上記散布装置１によれば、収容体２内の被散布物Ｗの残量を目視で確認するための透光性の残量確認用窓15と、この残量確認用窓15に向けて光を照射する光源16とを備えるため、トラクタＴに乗った作業者は、収容体２の前面部に設けられた残量確認用窓15から収容体２内が見えやすく、収容体２内の被散布物Ｗの残量を容易に確認でき、例えば残量不足のために一定量の被散布物Ｗが散布されない不具合等を確実に防止できる。
【００３１】
なお、上記実施の形態には限定されず、例えば図５に示すように、収容体２の上面開口部４を開閉する透光性の蓋体５を備え、光源16が蓋体５の上方位置から残量確認用窓15に向けて光を照射する構成でもよい。この光源16は、例えば蓋体５の上面に設けられた光源支持フレーム41に取り付けられている。
【００３２】
また、例えば図６に示すように、光源16が収容体２の前方位置から残量確認用窓15に向けて光を照射する構成でもよい。この光源16は、例えばトラクタＴの３点リンク部Ｔ1の下部リンクに設けられた光源支持フレーム42に取り付けられている。
【００３３】
なお、図示しないが、収容体２の側面部、前面部、後面部、或いは蓋体５に、太陽光を収容体２内へ取り込むための透光性の補助窓を設けてもよい。
【００３４】
また、被散布物Ｗとして肥料を散布する施肥機には限定されず、例えば種子を散布する播種機でもよく、また肥料および種子の両方を同時に散布するもの等でもよい。
【図面の簡単な説明】
【００３５】
【図１】本発明の一実施の形態に係る散布装置の正面図である。
【図２】同上散布装置の側面図である。
【図３】同上散布装置の要部側面図である。
【図４】同上散布装置の要部正面図である。
【図５】本発明の他の実施の形態に係る散布装置の要部側面図である。
【図６】本発明のさらに他の実施の形態に係る散布装置の要部側面図である。
【符号の説明】
【００３６】
１    散布装置
２    収容体
４    上面開口部
５    蓋体
15    残量確認用窓
16    光源
Ｗ    被散布物
【図１】
2008148624.tif 000003
【図２】
2008148624.tif 000004
【図３】
2008148624.tif 000005
【図４】
2008148624.tif 000006
【図５】
2008148624.tif 000007
【図６】
2008148624.tif 000008